(57)【要約】【課題】リチウムイオン二次電池に比べて低コストのニッケル水素二次電池を含むバッテリを非常用電源として用いて万が一ニッケル水素二次電池から水素ガスが放出されても防水及び防塵性能の向上を実現した状態で水素ガスの爆発を防ぐトンネル用照明装置を提供すること。【解決手段】バッテリユニット入力側スイッチ素子１５０Ａ及びバッテリユニット出力側スイッチ素子１５０Ｂが、水素ガスセンサ１４０から送信される水素ガス検知信号Ｓに基づいて制御素子１６０により制御されることで外部商用電源ＰＳとバッテリユニット１３０との間の電気的接続とバッテリユニット１３０と発光ユニット１１０との間の電気的接続とを遮断するトンネル用照明装置１００。【選択図】図４
2015041405.tif 000002
【特許請求の範囲】
【請求項１】
発光素子を配置した発光素子基板を含む発光ユニットと、該発光ユニットを収容した状態でトンネルの壁面に固定される発光ユニット収納ケースとを備えているトンネル用照明装置において、
前記発光ユニットに非常用電力を供給するニッケル水素二次電池を含むバッテリユニットが、前記発光ユニット収納ケース内に密封され、
前記ニッケル水素二次電池から発生した水素ガスを検知する水素ガスセンサが、前記発光ユニット収納ケース内に密封され、
前記バッテリユニットと外部商用電源との間の電気的接続を遮断自在なバッテリユニット入力側スイッチ素子が、前記バッテリユニットと外部商用電源とに電気的に接続され、
前記バッテリユニットと発光ユニットとの間の電気的接続を遮断自在なバッテリユニット出力側スイッチ素子が、前記バッテリユニットと発光ユニットとに電気的に接続され、
前記バッテリユニット入力側スイッチ素子及びバッテリユニット出力側スイッチ素子を制御する制御素子が、前記発光ユニット収納ケースに設けられ、
前記バッテリユニット入力側スイッチ素子及びバッテリユニット出力側スイッチ素子が、前記水素ガスセンサから送信される水素ガス検知信号に基づいて制御素子により制御されることで前記外部商用電源とバッテリユニットとの間の電気的接続と前記バッテリユニットと発光ユニットとの間の電気的接続とを遮断することを特徴とするトンネル用照明装置。
【請求項２】
前記バッテリユニットを充電するＡＣ／ＤＣコンバータが、前記外部商用電源とバッテリユニット入力側スイッチ素子との間に電気的に接続され、
前記外部商用電源とＡＣ／ＤＣコンバータとの間に電気的に接続された電力遮断ユニットが、前記発光ユニット収容ケースの外部に設けられ、
前記電力遮断ユニットが、前記水素ガス検知信号に基づいて前記外部商用電源とバッテリユニットとの間の電気的接続を遮断することを特徴とする請求項１に記載のトンネル用照明装置。
【請求項３】
前記電力遮断ユニットが、前記外部商用電源と発光ユニットとの間に電気的に接続された状態で水素ガス検知信号に基づいて外部商用電源と発光ユニットとの間の電気的接続を遮断することを特徴とする請求項２に記載のトンネル用照明装置。
【請求項４】
前記バッテリユニット入力側スイッチ素子及びバッテリユニット出力側スイッチ素子が、前記制御素子の制御下で予め設定された使用期間の経過時に前記外部商用電源とバッテリユニットとの間の電気的接続と前記バッテリユニットと発光ユニットとの間の電気的接続とを遮断することを特徴とする請求項１乃至請求項３のいずれか一つに記載のトンネル用照明装置。
【請求項５】
前記トンネルが、地下に設けられた洞道であることを特徴とする請求項１乃至請求項４のいずれか一つに記載のトンネル用照明装置。
【発明の詳細な説明】
【技術分野】
【０００１】
本発明は、洞道などのトンネルに設置されるトンネル用照明装置に関する。
【背景技術】
【０００２】
従来、密閉ケース内に収納された蛍光灯と、密閉ケースに密閉された状態で非常時に蛍光灯へ電力を供給するバッテリ予備電源とを備えている非常用照明装置がある（例えば、特許文献１参照。）。
上述の非常用照明装置は、防水性能を確保した状態で洞道などのトンネルで使用される。
また、２枚のポリカーボネイト製板材に挿入された有機ＥＬ薄膜と、密封型の表示パネルに内蔵された小型バッテリとを備えている誘導灯がある（例えば、特許文献２参照。）。
上述の誘導灯も、上述の非常用照明装置と同様に防水性能を確保した状態で洞道などのトンネルで使用される。
【先行技術文献】
【特許文献】
【０００３】
【特許文献１】特開平９−３２０７７１号公報
【特許文献２】特開２００８−１６５３３７号公報
【発明の概要】
【発明が解決しようとする課題】
【０００４】
しかしながら、上述の非常用照明装置に非常用電源としてリチウムイオン二次電池に比べて低コストのニッケル水素二次電池を用いた場合、ニッケル水素二次電池から水素ガスを排出する防爆弁、ガス放出弁又は安全弁とも称されるガス排出弁から電池内圧力の上昇またはニッケル水素二次電池の劣化に応じて水素ガスが排出されるため、密閉ケース内で水素ガスの爆発を招く虞があるという問題点があった。
つまり、ニッケル水素二次電池を含むバッテリを非常用電源として密閉ケース内に密閉した照明装置では、洞道などのトンネル内で照明装置内への水及び粉塵の進入を防いで防水及び防塵性能の向上を実現できる反面、ニッケル水素二次電池から密閉ケース内に排出された水素ガスが密閉ケース内に溜まって電気着火し易いため、水素ガスの爆発を招く虞があるという問題点があった。
また、上述の誘導灯でも、上述の非常用照明装置と同様に、表示パネル内のバッテリにニッケル水素二次電池を用いた場合、表示パネル内に溜まった水素ガスが電気着火し易いため、水素ガスの爆発を招く虞があるという問題点があった。
【０００５】
そこで、本発明が解決しようとする技術課題、すなわち、本発明の目的は、リチウムイオン二次電池に比べて低コストのニッケル水素二次電池を含むバッテリユニットを非常用電源として用いて万が一ニッケル水素二次電池から水素ガスが放出されても防水及び防塵性能の向上を実現した状態で水素ガスの爆発を防ぐトンネル用照明装置を提供することである。
【課題を解決するための手段】
【０００６】
まず、本請求項１に係る発明は、発光素子を配置した発光素子基板を含む発光ユニットと、該発光ユニットを収容した状態でトンネルの壁面に固定される発光ユニット収納ケースとを備えているトンネル用照明装置であって、前記発光ユニットに非常用電力を供給するニッケル水素二次電池を含むバッテリユニットが、前記発光ユニット収納ケース内に密封され、前記ニッケル水素二次電池から発生した水素ガスを検知する水素ガスセンサが、前記発光ユニット収納ケース内に密封され、前記バッテリユニットと外部商用電源との間の電気的接続を遮断自在なバッテリユニット入力側スイッチ素子が、前記バッテリユニットと外部商用電源とに電気的に接続され、前記バッテリユニットと発光ユニットとの間の電気的接続を遮断自在なバッテリユニット出力側スイッチ素子が、前記バッテリユニットと発光ユニットとに電気的に接続され、前記バッテリユニット入力側スイッチ素子及びバッテリユニット出力側スイッチ素子を制御する制御素子が、前記発光ユニット収納ケースに設けられ、前記バッテリユニット入力側スイッチ素子及びバッテリユニット出力側スイッチ素子が、前記水素ガスセンサから送信される水素ガス検知信号に基づいて制御素子により制御されることで前記外部商用電源とバッテリユニットとの間の電気的接続と前記バッテリユニットと発光ユニットとの間の電気的接続とを遮断することにより、前述した課題を解決したものである。
【０００７】
そして、本請求項２の発明は、請求項１の発明に係るトンネル用照明装置において、前記バッテリユニットを充電するＡＣ／ＤＣコンバータが、前記外部商用電源とバッテリユニット入力側スイッチ素子との間に電気的に接続され、前記外部商用電源とＡＣ／ＤＣコンバータとの間に電気的に接続された電力遮断ユニットが、前記発光ユニット収容ケースの外部に設けられ、前記電力遮断ユニットが、前記水素ガス検知信号に基づいて前記外部商用電源とバッテリユニットとの間の電気的接続を遮断することにより、前述した課題を解決したものである。
【０００８】
そして、本請求項３の発明は、請求項２の発明に係るトンネル用照明装置において、前記電力遮断ユニットが、前記外部商用電源と発光ユニットとの間に電気的に接続された状態で水素ガス検知信号に基づいて外部商用電源と発光ユニットとの間の電気的接続を遮断することにより、前述した課題を解決したものである。
【０００９】
そして、本請求項４の発明は、請求項１乃至請求項３のいずれか一つの発明に係るトンネル用照明装置において、前記バッテリユニット入力側スイッチ素子及びバッテリユニット出力側スイッチ素子が、前記制御素子の制御下で予め設定された使用期間の経過時に前記外部商用電源とバッテリユニットとの間の電気的接続と前記バッテリユニットと発光ユニットとの間の電気的接続とを遮断することにより、前述した課題を解決したものである。
【００１０】
そして、本請求項５の発明は、請求項１乃至請求項４のいずれか一つの発明に係るトンネル用照明装置において、前記トンネルが、地下に設けられた洞道であることにより、前述した課題を解決したものである。
【発明の効果】
【００１１】
本発明の請求項１に係るトンネル用照明装置は、発光素子及び発光素子を配置した発光素子基板を含む発光ユニットと、発光ユニットを収容した状態でトンネルの壁面に固定される発光ユニット収納ケースとを備えていることにより、トンネル内を照らすことができるばかりでなく、以下のような特有の構成に対応した格別の効果を奏することができる。
【００１２】
すなわち、本請求項１に係るトンネル用照明装置は、発光ユニットに非常用電力を供給するニッケル水素二次電池を含むバッテリユニットが、発光ユニット収納ケース内に密封され、ニッケル水素二次電池から発生した水素ガスを検知する水素ガスセンサが、前記発光ユニット収納ケース内に密封され、バッテリユニットと外部商用電源との間の電気的接続を遮断自在なバッテリユニット入力側スイッチ素子が、バッテリユニットと外部商用電源とに電気的に接続され、バッテリユニットと発光ユニットとの間の電気的接続を遮断自在なバッテリユニット出力側スイッチ素子が、バッテリユニットと発光ユニットとに電気的に接続され、バッテリユニット入力側スイッチ素子及びバッテリユニット出力側スイッチ素子を制御する制御素子が、発光ユニット収納ケースに設けられ、バッテリユニット入力側スイッチ素子及びバッテリユニット出力側スイッチ素子が、水素ガスセンサから送信される水素ガス検知信号に基づいて制御素子により制御されることで外部商用電源とバッテリユニットとの間の電気的接続とバッテリユニットと発光ユニットとの間の電気的接続とを遮断することにより、ニッケル水素二次電池から発光ユニット収納ケース内に水素ガスが排出された段階でバッテリユニットへの充電とバッテリユニットからの放電とを無くして水素ガスの電気着火の虞がなくなるため、リチウムイオン二次電池に比べて低コストのニッケル水素二次電池を含むバッテリユニットを非常用電源として用いて万が一ニッケル水素二次電池から水素ガスが放出されても防水及び防塵性能の向上を実現した状態で水素ガスの爆発を防ぐことができる。
【００１３】
そして、本請求項２に係るトンネル用照明装置は、請求項１に係るトンネル用照明装置が奏する効果に加えて、バッテリユニットを充電するＡＣ／ＤＣコンバータが、外部商用電源とバッテリユニット入力側スイッチ素子との間に電気的に接続され、外部商用電源とＡＣ／ＤＣコンバータとの間に電気的に接続された電力遮断ユニットが、発光ユニット収容ケースの外部に設けられ、電力遮断ユニットが、水素ガス検知信号に基づいて外部商用電源とバッテリユニットとの間の電気的接続を遮断することにより、ニッケル水素二次電池から水素ガスが排出された段階でＡＣ／ＤＣコンバータを停止させ、電力遮断ユニットからバッテリユニットに渡って外部商用電源に通電した部分が発光ユニット収納ケース内に全く存在しないため、発光ユニット収納ケース内で電気着火の起点となる通電部分を減らして水素ガスの爆発を防ぐことができる。
【００１４】
そして、本請求項３に係るトンネル用照明装置は、請求項２に係るトンネル用照明装置が奏する効果に加えて、電力遮断ユニットが、外部商用電源と発光ユニットとの間に電気的に接続された状態で水素ガス検知信号に基づいて外部商用電源と発光ユニットとの間の電気的接続を遮断することにより、ニッケル水素二次電池から水素ガスが排出された段階で電力遮断ユニットから発光ユニットに渡って外部商用電源に通電した部分が発光ユニット収納ケース内に全く存在しないため、発光ユニット収納ケース内で電気着火の起点となる通電部分を減らして水素ガスの爆発を防ぐことができる。
【００１５】
そして、本請求項４に係るトンネル用照明装置は、請求項１乃至請求項３のいずれか一つに係るトンネル用照明装置が奏する効果に加えて、バッテリユニット入力側スイッチ素子及びバッテリユニット出力側スイッチ素子が、制御素子の制御下で予め設定された使用期間の経過時に外部商用電源とバッテリユニットとの間の電気的接続とバッテリユニットと発光ユニットとの間の電気的接続とを遮断することにより、ニッケル水素二次電池の劣化又は内圧上昇などに起因して水素ガスが発生する前にバッテリユニットへの充電とバッテリユニットからの放電とが強制的に停止するため、ニッケル水素二次電池の劣化等に伴って発生する水素ガスの爆発を防ぐことができる。
【００１６】
そして、本請求項５に係るトンネル用照明装置は、請求項１乃至請求項４のいずれか一つに係るトンネル用照明装置が奏する効果に加えて、トンネルが、地下に設けられた洞道であることにより、洞道内の温度変化が地上のトンネル内に比べて小さくニッケル水素二次電池の内圧が安定しているため、温度変化に応じたニッケル水素二次電池の内圧上昇を抑制して水素ガスの排出量をゼロに近づけた状態で水素ガスの爆発を防ぐことができる。
【図面の簡単な説明】
【００１７】
【図１】本発明の一実施例に係るトンネル用照明装置の設置図。
【図２】本発明の一実施例に係るトンネル用照明装置の斜視図。
【図３】本発明の一実施例に係るトンネル用照明装置の平面図。
【図４】本発明の一実施例に係るトンネル用照明装置のブロック図。
【図５】本発明の一実施例に係るトンネル用照明装置の電気的接続を遮断するフローチャート。
【発明を実施するための形態】
【００１８】
本発明のトンネル用照明装置は、発光ユニットに非常用電力を供給するニッケル水素二次電池を含むバッテリユニットが、発光ユニット収納ケース内に密封され、ニッケル水素二次電池から発生した水素ガスを検知する水素ガスセンサが、前記発光ユニット収納ケース内に密封され、バッテリユニットと外部商用電源との間の電気的接続を遮断自在なバッテリユニット入力側スイッチ素子が、バッテリユニットと外部商用電源とに電気的に接続され、バッテリユニットと発光ユニットとの間の電気的接続を遮断自在なバッテリユニット出力側スイッチ素子が、バッテリユニットと発光ユニットとに電気的に接続され、バッテリユニット入力側スイッチ素子及びバッテリユニット出力側スイッチ素子を制御する制御素子が、発光ユニット収納ケースに設けられ、バッテリユニット入力側スイッチ素子及びバッテリユニット出力側スイッチ素子が、水素ガスセンサから送信される水素ガス検知信号に基づいて制御素子により制御されることで外部商用電源とバッテリユニットとの間の電気的接続とバッテリユニットと発光ユニットとの間の電気的接続とを遮断することによって、リチウムイオン二次電池に比べて低コストのニッケル水素二次電池を含むバッテリを非常用電源として用いて万が一ニッケル水素二次電池から水素ガスが放出されても防水及び防塵性能の向上を実現した状態で水素ガスの爆発を防ぐものであれば、その具体的な形態は如何なるものであってもよい。
【００１９】
なお、本発明における「発光ユニット収納ケース」は、直接的に又は取り付け部材を介して間接的にトンネルの壁面に固定されてもよく、トンネルの壁面に対する発光ユニット収納ケースの固定形態は後述の実施例における固定形態に限定されるものではない。
また、本発明における「トンネルの壁面」は、トンネルの内部空間を規定する面を意味し、トンネルの側壁面及び天井面などを含んでいる。
【００２０】
また、本発明の「非常用電力」は、外部商用電力からトンネル用照明装置への電力供給が地震などの何らかのトラブル又は非常事態により停止した場合に、バッテリユニットから発光ユニットに供給される電力である。
【００２１】
また、本発明の「外部商用電源」は、トンネル用照明装置の外部に設置されて１００Ｖ又は２００Ｖなどの電圧で電力を供給する交流電源である。
また、本発明の「予め設定された使用期間」は、トンネル用照明装置をトンネルに設置した時点からニッケル水素二次電池の劣化又は内圧上昇などに起因してニッケル水素二次電池から水素ガスが排出され始めると推定される時点までの期間を意味し、ニッケル水素二次電池の性能と使用温度などの使用環境とに基づいて適宜設定される。
【００２２】
また、本発明の「電力遮断ユニット」は、水素ガス検知信号に基づく制御素子の指示に応じて外部商用電源とバッテリユニットとの間の電気的接続を遮断してもよいし、水素ガス検知信号を直接受信して外部商用電源とバッテリユニットとの間の電気的接続を遮断してもよい。
なお、本発明の「電力遮断ユニット」は、水素ガス検知信号に基づく制御素子の指示に応じて外部商用電源と発光ユニットとの間の電気的接続を遮断してもよいし、水素ガス検知信号を直接受信して外部商用電源と発光ユニットとの間の電気的接続を遮断してもよい。
【実施例】
【００２３】
以下、本発明の一実施例であるトンネル用照明装置１００を図１乃至図５に基づいて説明する。
ここで、図１は、本実施例に係るトンネル用照明装置の設置図であり、図２は、本実施例に係るトンネル用照明装置の斜視図であり、図３は、本実施例に係るトンネル用照明装置の平面図であり、図４は、本実施例に係るトンネル用照明装置のブロック図であり、図５は、本実施例に係るトンネル用照明装置の電気的接続を遮断するフローチャートである。
なお、説明の便宜上、図３では、図２に示した光拡散カバー１２２の図示を省略している。
【００２４】
本実施例のトンネル用照明装置１００は、図１乃至図３に示すように、発発光素子１１１を配置した発光素子基板１１２を含む発光ユニット１１０と、発光ユニット１１０を収容した状態でトンネルＴの壁面ＴＷに固定される発光ユニット収納ケース１２０とを備えている。
トンネルＴ内は、トンネルＴの壁面ＴＷに固定されたトンネル用照明装置１００によって照らされる。
【００２５】
なお、図３に示すように、発光素子１１１は、発光ダイオード１１１Ａと発光ダイオード１１１Ａを内包する集光レンズ１１１Ｂとから構成されている。
集光レンズ１１１Ｂは、発光ダイオード１１１Ａから出射された光を集光する。
そして、集光レンズ１１１Ｂから出射された光は、後述する光拡散カバー１２２で拡散されてトンネルＴ内の広い範囲に照射される。
【００２６】
図２及び図３に示すように、発光ユニット収納ケース１２０は、ケース基板１２１と、光拡散カバー１２２と、前蓋１２３Ｆ及び後蓋１２３Ｒと、前蓋用パッキン１２４とを備えている。
発光ユニット１１０は、ケース基板１２１に取り付けられている。
光拡散カバー１２２は、発光ユニット１１０の光出射側から発光ユニット１１０を覆った状態でケース基板１１０に固定されている。
前蓋１２３Ｆ及び後蓋１２３Ｒは、ケース基板１２１及び光拡散カバー１２２の前後端にそれぞれネジ止めされている。
前蓋用パッキン１２４は、相互に固定されたケース基板１２１及び光拡散カバー１２２の前端に臨む前蓋１２３Ｆの開口部分に取り付けられている。
前蓋１２３Ｆの開口部分は、前蓋１２３Ｆのうちケース基板１２１及び光拡散カバー１２２の前端を嵌入させる部分である。
【００２７】
発光ユニット１１０、バッテリユニット１３０、水素ガスセンサ１４０、及び、ＡＣ／ＤＣコンバータ１７０は、発光ユニット収納ケース１２０内に密封されている。
【００２８】
次に、前述した本実施例のトンネル用照明装置１００が最も特徴とする具体的な形態について、図１乃至図５に基づいて詳しく説明する。
図１乃至図４に示すように、本実施例に係るトンネル用照明装置１００は、発光ユニット１１０に非常用電力Ｗを供給するニッケル水素二次電池１３１を含むバッテリユニット１３０と、ニッケル水素二次電池１３１から発生した水素ガスを検知する水素ガスセンサ１４０と、バッテリユニット１３０と外部商用電源ＰＳとの間の電気的接続を遮断自在なバッテリユニット入力側スイッチ素子１５０Ａと、バッテリユニット１３０と発光ユニット１１０との間の電気的接続を遮断自在なバッテリユニット出力側スイッチ素子１５０Ｂと、バッテリユニット入力側スイッチ素子１５０Ａ及びバッテリユニット出力側スイッチ素子１５０Ｂを制御する制御素子１６０とを備えている。
【００２９】
バッテリユニット入力側スイッチ素子１５０Ａは、バッテリユニット１３０と外部商用電源ＰＳとに電気的に接続されている。
バッテリユニット出力側スイッチ素子１５０Ｂは、バッテリユニット１３０と発光ユニット１１０とに電気的に接続されている。
制御素子１６０は、発光ユニット収納ケース１２０に設けられている。
そして、バッテリユニット１３０及び水素ガスセンサ１４０は、発光ユニット収納ケース１２０内に密封されている。
加えて、バッテリユニット入力側スイッチ素子１５０Ａ及びバッテリユニット出力側スイッチ素子１５０Ｂは、水素ガスセンサ１４０から送信される水素ガス検知信号Ｓに基づいて制御素子１６０により制御されることで外部商用電源ＰＳとバッテリユニット１３０との間の電気的接続とバッテリユニット１３０と発光ユニット１１０との間の電気的接続とを遮断する。
【００３０】
これにより、ニッケル水素二次電池１３１から発光ユニット収納ケース１２０内に水素ガスが排出された段階でバッテリユニット１３０への充電とバッテリユニット１３０からの放電とを無くして水素ガスの電気着火の虞がなくなる。
【００３１】
ここで、図４及び図５に基づいて、本実施例に係るトンネル用照明装置１００の回路構成とトンネル用照明装置１００の電気的接続を遮断する方法とを詳細に説明する。
図４に示すように、本実施例に係るトンネル用照明装置１００は、発光ユニット１１０、バッテリユニット１３０、水素ガスセンサ１４０、バッテリユニット入力側スイッチ素子１５０Ａ、バッテリユニット出力側スイッチ素子１５０Ｂ、発光ユニット入力側スイッチ素子１５０Ｃ、制御素子１６０、ＡＣ／ＤＣコンバータ１７０、電力遮断ユニット１８０、及びＤＣ／ＤＣコンバータ１９０を備えている。
【００３２】
ＡＣ／ＤＣコンバータ１７０は、電力遮断ユニット１６０を介して外部商用電源ＰＳに電気的に接続されている。
バッテリユニット入力側スイッチ素子１５０Ａは、ＡＣ／ＤＣコンバータ１７０及びバッテリユニット１３０に電気的に接続されている。
バッテリユニット出力側スイッチ素子１５０Ｂは、バッテリユニット１３０及びＤＣ／ＤＣコンバータ１９０に電気的に接続されている。
ＤＣ／ＤＣコンバータ１９０は、発光ユニット１１０に電気的に接続されている。
【００３３】
また、制御素子１６０は、コントロールプロセッサユニット（ＣＰＵ）などから構成され、バッテリユニット入力側スイッチ素子１５０Ａ、バッテリユニット出力側スイッチ素子１５０Ｂ、及び発光ユニット入力側スイッチ素子１５０Ｃのオンオフを制御する。
【００３４】
制御素子１６０は、バッテリユニット１３０から発光ユニット１１０に非常用電力Ｗを供給しない状態で発光ユニット１１０を点灯する通常時に、発光ユニット入力側スイッチ素子１５０Ｃをオフ状態からオン状態に切り換えて外部商用電源ＰＳと発光ユニット１１０とを相互に電気的に接続するように構成されている。
発光ユニット１１０は、通常時、外部商用電源ＰＳから発光ユニット１１０に供給された電力に応じて点灯する。
【００３５】
また、制御素子１６０は、バッテリユニット入力側スイッチ素子１５０Ａをオフ状態からオン状態に切り換えて外部商用電源ＰＳとバッテリユニット１３０とを相互に電気的に接続するように構成されている。
バッテリユニット１３０は、通常時、ＡＣ／ＤＣコンバータ１７０を介して外部商用電源ＰＳから供給される電力に応じて充電される。
【００３６】
制御素子１６０は、外部商用電源ＰＳからトンネル用照明装置１００への電力供給が停止した非常時に、バッテリユニット出力側スイッチ素子１５０Ｂをオン状態に設定し、ＤＣ／ＤＣコンバータ１９０を介してバッテリユニット１３０及び発光ユニット１１０を相互に電気的に接続するように構成されている。
そして、バッテリユニット１３０は、非常時に発光ユニット１１０に非常用電力Ｗを供給する。
このため、発光ユニット１１０は、非常時に外部商用電源ＰＳから電力を供給されなくても点灯する。
【００３７】
続いて、図４及び図５に基づいて、トンネル用照明装置１００の電気的接続を遮断する方法を詳細に説明する。
図４及び図５に示すように、制御素子１６０は、予め設定された使用期間が経過したか否かを判断する（ステップＳ１０）。
上述の使用期間が経過していない場合、制御素子１６０は、水素ガスセンサ１４０から水素ガス検知信号Ｓを受信したか否かを判断する（ステップＳ２０）。
【００３８】
水素ガス検知信号Ｓが受信された場合、制御素子１６０は、水素ガス検知信号Ｓに基づいてバッテリユニット入力側スイッチ素子１５０Ａ及びバッテリユニット出力側スイッチ素子１５０Ｂをオフ状態に設定する。
このとき、バッテリユニット入力側スイッチ素子１５０Ａ及びバッテリユニット出力側スイッチ素子１５０Ｂは、外部商用電源ＰＳとバッテリユニット１３０との間の電気的接続とバッテリユニット１３０と発光ユニット１１０との間の電気的接続とを遮断する（ステップＳ３０）。
【００３９】
これにより、ニッケル水素二次電池１３１から発光ユニット収納ケース１２０内に水素ガスが排出された段階でバッテリユニット１３０への充電とバッテリユニット１３０からの放電とを無くして水素ガスの電気着火の虞がなくなる。
【００４０】
図４及び図５に示すように、電力遮断ユニット１８０は、外部商用電源ＰＳとバッテリユニット入力側スイッチ素子１５０Ａとの間に電気的に接続されたＡＣ／ＤＣコンバータ１７０と外部商用電源ＰＳとの間に電気的に接続されている。
そして、電力遮断ユニット１８０は、発光ユニット収容ケース１２０の外部に設けられ、水素ガス検知信号Ｓに基づいて外部商用電源ＰＳとバッテリユニット１３０との間の電気的接続を遮断する（ステップＳ３０）。
より具体的には、電力遮断ユニット１８０は、図４に示すように、水素ガス検知信号Ｓに基づく制御素子１５４の指示に応じて外部商用電源ＰＳとＡＣ／ＤＣコンバータ１７０との間の電気的接続を遮断するように構成されている。
【００４１】
これにより、ニッケル水素二次電池１３１から水素ガスが排出された段階でＡＣ／ＤＣコンバータ１７０が停止し、電力遮断ユニット１８０からバッテリユニット１３０に渡って外部商用電源ＰＳに通電した部分が発光ユニット収納ケース１２０内に全く存在しない。
このため、発光ユニット収納ケース１２０内で電気着火の起点となる通電部分を減らして水素ガスの爆発が防止される。
なお、電力遮断ユニット１８０は、水素ガス検知信号Ｓを直接受信して外部商用電源ＰＳとＡＣ／ＤＣコンバータ１７０との間の電気的接続を遮断してもよい。
【００４２】
また、電力遮断ユニット１８０は、外部商用電源ＰＳと発光ユニット１１０との間に電気的に接続された状態で水素ガス検知信号Ｓに基づいて外部商用電源ＰＳと発光ユニット１１０との間の電気的接続を遮断する（ステップＳ３０）。
これにより、ニッケル水素二次電池１３１から水素ガスが排出された段階で電力遮断ユニット１８０から発光ユニット１１０に渡って外部商用電源ＰＳに通電した部分が発光ユニット収納ケース１２０内に全く存在しない。
このため、発光ユニット収納ケース１２０内で電気着火の起点となる通電部分を減らして水素ガスの爆発が防止される。
【００４３】
また、図５に示すステップＳ１０において、予め設定された使用期間が経過したと判断された場合、バッテリユニット入力側スイッチ素子１５０Ａ及びバッテリユニット出力側スイッチ素子１５０Ｂは、制御素子１６０の制御下で外部商用電源ＰＳとバッテリユニット１３０との間の電気的接続とバッテリユニット１３０と発光ユニット１１０との間の電気的接続とを遮断する（ステップＳ３０）。
より具体的には、図４に示す制御素子１６０は、予め設定された使用期間の経過時にバッテリユニット入力側スイッチ素子１５０Ａ、バッテリユニット出力側スイッチ素子１５０Ｂをオフ状態に切り換える。
【００４４】
これにより、ニッケル水素二次電池１３１の劣化又は内圧上昇などに起因して水素ガスが発生する前にバッテリユニット１３０への充電とバッテリユニット１３０からの放電とが強制的に停止する。
このため、ニッケル水素二次電池１３１の劣化等に伴って発生する水素ガスの爆発が防止される。
【００４５】
また、図１に示すように、トンネルＴは、地下に設けられた洞道である。
これにより、トンネルＴ内の温度が地上のトンネル内に比べて安定し、ニッケル水素二次電池１３１の内圧が安定する。
このため、温度変化に応じたニッケル水素二次電池１３１の内圧上昇を抑制して水素ガスの排出量をゼロに近づけた状態で水素ガスの爆発が防止される。
【００４６】
なお、地下に設けられた洞道は、地下に設けられた狭い空間であるため、水素ガスの爆発が発生した際には、消防車輛などの緊急車輛を受け入れて消化作業を行うことが非常に困難な構造を有している。
このため、本実施例のトンネル用照明装置１００は、水素ガスの爆発を未然に防ぐことができる点で地下の洞道に設置される洞道用照明装置に適している。
【００４７】
このようにして得られた本発明の一実施例である装置１００は、バッテリユニット入力側スイッチ素子１５０Ａ及びバッテリユニット出力側スイッチ素子１５０Ｂが、水素ガスセンサ１４０から送信される水素ガス検知信号Ｓに基づいて制御素子１６０により制御されることで外部商用電源ＰＳとバッテリユニット１３０との間の電気的接続とバッテリユニット１３０と発光ユニット１１０との間の電気的接続とを遮断することにより、リチウムイオン二次電池に比べて低コストのニッケル水素二次電池１３１を含むバッテリユニット１３０を非常用電源として用いて万が一ニッケル水素二次電池１３１から水素ガスが放出されても防水及び防塵性能の向上を実現した状態で水素ガスの爆発を防ぐことができるなど、その効果は甚大である。
【符号の説明】
【００４８】
１００  ・・・  トンネル用照明装置
１１０  ・・・  発光ユニット
１１１  ・・・  発光素子
１１１Ａ  ・・・  発光ダイオード
１１１Ｂ  ・・・  集光レンズ
１１２  ・・・  発光素子基板
１２０  ・・・  発光ユニット収納ケース
１２１  ・・・  ケース基板
１２２  ・・・  光拡散カバー
１２３Ｆ  ・・・  前蓋
１２３Ｒ  ・・・  後蓋
１２４  ・・・  前蓋用パッキン
１３０  ・・・  バッテリユニット
１３１  ・・・  ニッケル水素二次電池
１４０  ・・・  水素ガスセンサ
１５０Ａ  ・・・  バッテリユニット入力側スイッチ素子
１５０Ｂ  ・・・  バッテリユニット出力側スイッチ素子
１５０Ｃ  ・・・  発光ユニット入力側スイッチ素子
１６０  ・・・  制御素子
１７０  ・・・  ＡＣ／ＤＣコンバータ
１８０  ・・・  電力遮断ユニット
１９０  ・・・  ＤＣ／ＤＣコンバータ
ＰＳ  ・・・  外部商用電源
Ｓ  ・・・  水素ガス検知信号
Ｔ  ・・・  トンネル
ＴＷ  ・・・  トンネルの壁面
Ｗ  ・・・  非常用電力
【図１】
2015041405.tif 000003
【図２】
2015041405.tif 000004
【図３】
2015041405.tif 000005
【図４】
2015041405.tif 000006
【図５】
2015041405.tif 000007